(57)【要約】      （修正有）【課題】滑動及び転倒を防止することができる人工魚礁を提供する。【解決手段】砂地の海底面２１に設ける人工魚礁１において、縦，横梁材３，４を有し内部に収納枠部６を有する枠体５と、この枠体５の底部に設けられ枠体５の外側に張り出す面材１１とを備える。海底に定置した人工魚礁１は潮流の影響により振動を起し、枠体５の一辺５Ａを軸とし、他辺が上方に浮き上がる上昇力Ｆを受ける。これに対し、底部に張り出して設けた面材１１と海底面２１との間が減圧状態となって面材１１が海底面２１に吸着し、前記上昇力Ｆを抑制することができる。また、人工魚礁１を海底面２１に設置すると、潮流などにより、面材１１下部の海底面２１の砂２２が吸い出され、面材１１箇所がすり鉢状に掘られ、面材１１が周囲の海底面２１より低くなり、人工魚礁１の滑動が防止される。【選択図】図５
2011135787.tif 000002
【特許請求の範囲】
【請求項１】
砂地の海底面に設ける人工魚礁において、縦，横梁材を有し内部に蝟集空間を有する魚礁本体と、この魚礁本体の底部に設けられ前記魚礁本体の外側に張り出す張出部とを備えることを特徴とする人工魚礁。
【請求項２】
前記張出部と魚礁本体との間に補強斜材を設けたことを特徴とする請求項１記載の人工魚礁。
【請求項３】
前記魚礁本体は、高さが底部の幅の１．５倍以上であることを特徴とする請求項２記載の人工魚礁。
【請求項４】
前記張出部は、前記底部の周囲に設けた面材と、この面材に設けた壁部とを有する箱状部分を備えることを特徴とする請求項１〜３のいずれか１項に記載の人工魚礁。
【発明の詳細な説明】
【技術分野】
【０００１】
本発明は、内部に蝟集空間を有する人工魚礁の安定性向上に関するものである。
【背景技術】
【０００２】
従来の漁場造成は、着底式の魚礁・増殖礁・浮魚礁等の構造物を海底に設置し、魚類の蝟集・保護育成を主たる目的とし、一定の成果を挙げてきた。しかし、漁法の発達による乱獲で資源の減少を招いたが、最近資源の回復を目指す湧昇流施設が注目されている。
【０００３】
海底から海面に向かって流れるいわゆる湧昇流の効果を主とする魚礁は、燐酸塩、硝酸塩等の栄養塩を太陽光の届く上層に押し上げ、これにより太陽光による光合成作用を促進してプランクトンの増殖を促進し、このプランクトンを餌とする小魚，小魚を餌とする中魚、さらに大魚という食物連鎖を形成して良好な漁場を得るために有効である。このような、海流や潮流の水平流を鉛直方向の湧昇流とするために現在海底に山状の障害物を形成するマウンド魚礁（例えば特許文献１）が用いられている。
【０００４】
このマウンド魚礁としては、例えば、火力発電所などから排出される石炭灰などをコンクリートとともに固めて方形のコンクリート成形体とし、このコンクリート成形体を海底に数十〜数百メートルの長さ及び２〜３０メートルの高さに積み重ねたものであるが、このようなマウンド魚礁は、湧昇流を起こすことにより前述の通り魚類等の増殖に寄与するものであるが、それ自身増殖礁としての機能は備えていないので、必ずしも魚類の棲息に好適なものではなかった。また、石炭灰を使用しているので環境に対する影響が皆無であるとはいえない。
【０００５】
マウンド礁で湧昇流を起こすためには、マウンドの山の高さが必要である。水深１００メートル前後の大水深域で、山を築くための投石等の投入は正確性に欠け、高い山を築くことは極めて困難であり、且つ工期も長くコストも高い。また、効率よく高い山が築けて湧昇効果が大きい程、山の頂部の潮流速は早くなり、流体力による頂部ブロックの崩壊の危険性もある。
【先行技術文献】
【特許文献】
【０００６】
【特許文献１】特開昭５６−９９７３６号公報
【発明の概要】
【発明が解決しようとする課題】
【０００７】
湧昇流施設の湧昇効果を高めるため枠組み構造体からなる人工魚礁に面材を付与すると、波や潮流により魚礁にかかる流体力が大きくなり、人工魚礁の滑動・転倒等安定性が悪くなる。
【０００８】
また、既存人工魚礁についても、魚類の蝟集効果向上のため補強部材として面材や筒状部材等が取り付けられ、魚礁の機能向上が図られるが、魚礁の安定性が悪くなる。
【０００９】
そこで、本発明は上記した問題点に鑑み、補助部材を取り付けた人工魚礁及び湧昇流機能を付与した人工魚礁の波や潮流に対する、滑動や転倒の安全性を改善することができる人工魚礁を提供することを目的とする。
【課題を解決するための手段】
【００１０】
請求項１に係る発明は、砂地の海底面に設ける人工魚礁において、縦，横梁材を有し内部に蝟集空間を有する魚礁本体と、この魚礁本体の底部に設けられ前記魚礁本体の外側に張り出す張出部とを備えることを特徴とする。
【００１１】
また、請求項２に係る発明は、前記張出部と魚礁本体との間に補強斜材を設けたことを特徴とする。
【００１２】
また、請求項３に係る発明は、前記魚礁本体は、高さが底部の幅の１．５倍以上であることを特徴とする。
【００１３】
また、請求項４に係る発明は、前記張出部は、前記底部の周囲に設けた面材と、この面材に設けた壁部とを有する箱状部分を備えることを特徴とする。
【発明の効果】
【００１４】
請求項１の構成によれば、海底に定置した人工魚礁は大きな波や速い潮流の影響により振動を起し、枠体の一辺を軸とし、他辺が上方に浮き上がる上昇力を受ける。これに対し、底部を張出部である枠材により広げた場合、回転半径が大きくなり、魚礁の転倒安全性が増す。また、張出部が面材の場合では海底の砂泥と密着し、面材が上昇しようした時、面材と海底との間が減圧状態となり、魚礁の転倒安定性が増し、さらに、魚礁周辺の海底が洗掘・埋設の繰り返しにより砂泥が面材上に堆積して荷重となって、魚礁の転倒が防止され安定化させる効果がある。また、張出部が面材を付与した枠材の場合、枠材の上昇圧力が海水により抑圧され、魚礁の転倒安全性が増す。
【００１５】
また、請求項２の構成によれば、補強斜材により張出部の強度が増し安定する。
【００１６】
また、請求項３の構成によれば、幅より高さの比率が大きな人工魚礁において、その安定化を図ることができる。
【００１７】
また、請求項４の構成によれば、面材の内周及び外周に壁部を設けることで箱状部分が形成され、この箱状部分内に洗掘された砂泥が堆積し、魚礁の転倒安定性を一層向上させる効果がある。さらに、魚礁本体の周囲が、波や潮流で洗掘・埋設を繰り返すことで、魚礁周囲がすり鉢状となり、魚礁の滑動が抑制される。
【図面の簡単な説明】
【００１８】
【図１】本発明の実施例１を示す設置状態の断面図である。
【図２】同上、沈設途中の断面図である。
【図３】同上、魚礁本体の平面図である。
【図４】同上、枠部の平面図である。
【図５】本発明の実施例２を示す設置状態の断面図である。
【図６】同上、面材を備えた枠部の平面図である。
【図７】本発明の実施例３を示す設置状態の要部の断面図である。
【発明を実施するための形態】
【００１９】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる人工魚礁を採用することにより、従来にない人工魚礁が得られ、その人工魚礁を夫々記述する。
【実施例１】
【００２０】
以下、本発明の人工魚礁を添付図面を参照して説明する。図１〜図４は、本発明の実施例１を示し、同図に示すように、人工魚礁１は、鋼材からなる横梁材３および縦梁材４を立体状に組んだ魚礁本体たる鋼製の枠体５を備えている。この枠体５の内部には上下及び左右に隣接した蝟集空間たる複数の収納枠部６が形成され、この収納枠部６は潮流が通過可能な通水性を有する。また、湧昇効果を高めるため、枠体５の外周に前記収納枠部６を塞ぐように面材を設けてもよい。
【００２１】
本実施例では、例えば、枠体５の高さは、枠体５の下部の幅Ｗの１．５倍以上である。
【００２２】
前記枠体５の底部には、張出部たる複数の枠材７が設けられ、この枠材７は、鋼材などからなり、前記枠体５の周囲から張り出して設けられ、それら複数の枠材７の先端を枠材８により連結し、それら枠材７，８と枠体５底部の横枠材３とにより複数の枠部９を形成している。この例では、枠体５の底部の全周に枠部９を設けており、前記枠材８は、枠体５の底部形状と略相似形の周囲形状を有する。
【００２３】
また、枠部９の先端側と前記枠体５との間に複数の補強斜材１２を斜設し、それら補強斜材１２は枠体５の周囲に略等間隔で、枠材７の位置に対応して設けられている。
【００２４】
次に、前記構成につき、その作用を説明する。人工魚礁１を起重機船のクレーンブームに吊り上げ、設置場所において、人工魚礁１を海底に沈設する。このようにして人工魚礁１を砂地の海底面２１に設置すると、外側に枠材７，８が張り出しているため、安定して接地することができる。
【００２５】
ここで、人工魚礁１は外力又は波力の影響により振動を起す。例えば図１に示すように、矢印Ｙの向きの潮流を人工魚礁１が受けると、枠体５の一辺５Ａを軸とし、他辺が上方に浮き上がる上昇力Ｆが発生するが、外側に枠材７，８が張り出しているため、前記上昇力Ｆに対向することができる。
【００２６】
このように本実施例では、砂地の海底面２１に設ける人工魚礁において、縦，横梁材３，４を有し内部に蝟集空間たる収納枠部６を有する魚礁本体たる枠体５と、この枠体５の底部に設けられ枠体５の外側に張り出す張出部たる枠材７，８とを備えるから、海底に定置した人工魚礁は大きな波や速い潮流の影響により振動を起し、枠体５の一辺５Ａを軸とし、他辺が上方に浮き上がる上昇力Ｆを受ける。これに対し、底部を張出部である枠材７，８により広げた場合、回転半径が大きくなり、魚礁の転倒安全性が増す。
【００２７】
また、このように本実施例では、張出部たる枠材７，８と魚礁本体たる枠体５との間に補強斜材１２を設けたから、補強斜材１２により枠材７，８の強度が増し安定する。
【００２８】
また、このように本実施例では、魚礁本体たる枠体５は、高さが底部の幅Ｗの１．５倍以上であるから、幅Ｗより高さの比率が大きな高層の人工魚礁１において、その安定化を図ることができる。
【実施例２】
【００２９】
図５及び図６は本発明の実施例２を示し、上記実施例１と同一部分に同一符号を付し、その詳細な説明を省略して詳述すると、前記枠体５の底部には、前記枠部９内に面材１１が設けられ、この面材１１は、枠体５の周囲から外側に張り出して設けられ、下面が略水平な平坦に形成されている。前記面材１１は鋼板やコンクリート版からなり、このコンクリート版は鉄筋又は無筋コンクリートからなる。尚、枠体５の底部内に前記面材１１を設けてもよいが、沈設時などを考慮して設けていない。また、前記面材１１の上面と前記枠体５との間に複数の前記補強斜材１２を設け、図３に示すように、それら補強斜材１２は枠体５の周囲に略等間隔で、縦梁材４位置に対応して設けられている。尚、枠部９を設けずに面材１１のみを設けてもよい。
【００３０】
次に、前記構成につき、その作用を説明する。人工魚礁１を起重機船のクレーンブームに吊り上げ、設置場所において、人工魚礁１を海底に沈設する。この場合、底部内には面材１１が無いから、人工魚礁１をスムーズに沈めていくことができる。このようにして人工魚礁１を砂地の海底面２１に設置すると、外側に面材１１が張り出しているため、安定して接地することができる。
【００３１】
ここで、人工魚礁１は潮流の影響により振動を起す。例えば図１に示すように、矢印Ｙの向きの潮流を人工魚礁１が受けると、枠体５の一辺５Ａを軸とし、他辺が上方に浮き上がる上昇力Ｆが発生するが、外側に面材１１が張り出しているため、前記上昇力Ｆに対向することができる。また、海底においては、面材１１の上面に水圧が加わるため、面材１１が海底面２１に押し付けられた状態となり、面材１１と海底面２１との間が減圧状態となり、前記上昇力Ｆを効果的に抑制することができる。
【００３２】
また、砂地の海底面２１に人工魚礁１を設置すると、潮流などにより、面材１１下部の海底面２１の砂が吸い出され、図１に示すように、面材１１箇所が鉢状に掘られ、面材１１が周囲の海底面２１より低くなり、これにより人工魚礁の滑動が防止される。
例えば、砂２２が掘られることにより面材１１は周囲より例えば４０〜５０ｃｍ程度低くなる。尚、これには、人工魚礁１は鋼材などからなる重量物であるから、自重により沈む量も含まれる。また、面材１１の下方の砂が掘られ、同時に面材１１の上に砂２２が堆積してウエートとなり、人工魚礁１の安定性が向上する。
【００３３】
このように本実施例では、砂地の海底面２１に設ける人工魚礁１において、縦，横梁材３，４を有し内部に蝟集空間たる収納枠部６を有する枠体５と、この枠体５の底部に設けられ枠体５の外側に張り出す張出部たる面材１１とを備えるから、海底に定置した人工魚礁は大きな波や速い潮流の影響により振動を起し、枠体５の一辺５Ａを軸とし、他辺が上方に浮き上がる上昇力Ｆを受ける。これに対し、底部を張出部である面材１１により広げたから、面材１１が海底面２１の砂泥と密着し、面材１１が上昇しようした時、面材１１と海底面２１との間が減圧状態となり、魚礁の転倒安定性が増し、さらに、魚礁周辺の海底が洗掘・埋設の繰り返しにより砂泥が面材１１上に堆積して荷重となって、魚礁の転倒が防止され安定化させる効果がある。
【００３４】
また、海底面２１が砂地であるから、人工魚礁１を海底面２１に設置すると、潮流などにより、面材１１下部の海底面２１の砂２２が吸い出され、面材１１箇所がすり鉢状に掘られ、面材１１が周囲の海底面２１より低くなり、人工魚礁１の滑動が防止される。
【００３５】
実施例上の効果として、面材１１の面積が枠体５の底面の面積以上であるから、安定性に優れたものとなる。
【実施例３】
【００３６】
図７は本発明の実施例２を示し、上記実施例１と同一部分に同一符号を付し、その詳細な説明を省略して詳述すると、上記各実施例と同一部分に同一符号を付し、その詳細な説明を省略して詳述すると、この例では、前記面材１１の内周及び外周に内周壁部１３及び外周壁部１４を設け、それら面材１１、内周壁部１３及び外周壁部１４により箱状部分１５を形成している。
【００３７】
このように本実施例では、底部の周囲に設けた面材１１と、この面材１１に設けた壁部たる内周壁部１３及び外周壁部１４とを有する箱状部分１５を備えるから、この箱状部分１５内に洗掘された砂泥が堆積し、魚礁の転倒安定性を一層向上させる効果がある。さらに、魚礁本体の周囲が、波や潮流で洗掘・埋設を繰り返すことで、魚礁周囲がすり鉢状となり、魚礁の滑動が抑制される。
【００３８】
また、実施例上の効果として、張出部は、底部の周囲を囲む面材１１と、この面材１１の内周及び外周に設けた内周及び外周壁部１３，１４とを備えるから、枠体５の全周を箱状部分１５で囲むことができる。
【００３９】
尚、本発明は、本実施例に限定されるものではなく、本発明の要旨の範囲内で種々の変形実施が可能である。例えば、魚礁本体は、縦，横梁材以外でも、斜材を備えるものでもよい。また、魚礁本体の材質、形状、外形寸法等などの基本的構造は適宜選定すればよい。また、蝟集空間に収納籠などを配置するようにしてもよい。さらに、面材の下面に滑り止め用の凹凸を形成してもよい。
【符号の説明】
【００４０】
１  人工魚礁
３  横梁材
４  縦梁材
５  枠体（魚礁本体）
５Ａ  一辺
６  収納枠部（蝟集空間）
１１  面材
１２  補強斜材
Ｆ  上昇力
【図１】
2011135787.tif 000003
【図２】
2011135787.tif 000004
【図３】
2011135787.tif 000005
【図４】
2011135787.tif 000006
【図５】
2011135787.tif 000007
【図６】
2011135787.tif 000008
【図７】
2011135787.tif 000009